(57)【要約】【課題】簡単且つ確実に適正な形状に矯正された排出ホースを備えた空気調和機を提供する。【解決手段】空気調和機は、本体１が室内の壁１０に取り付けられ、壁１０に形成された開口穴１１に挿通されて本体１の内部から室外へ凝縮水を排出する排出ホース６を備える。排出ホース６は、形状矯正具２０で保持されながら案内されて、開口穴１１における室外側の縁部近傍で略直角の下向きに折り曲げられる。【選択図】      図１
2005036996.tif 000002
【特許請求の範囲】
【請求項１】
本体が室内に取り付けられ、壁に形成された開口穴に挿通されて前記本体の内部から室外へ水又は空気を排出する排出ホースを備えた空気調和機であって、
前記排出ホースは、形状矯正具で保持されながら案内されて、前記開口穴における室外側の縁部近傍で略直角に折り曲げられることを特徴とする空気調和機。
【請求項２】
前記形状矯正具は、互いに略直角に折曲された第１、第２の基片と、各第１、第２の基片の各両側から各々対になって突出する第１、第２の突片と、よりなり、前記排出ホースは、前記第１、第２の突片で挟持されるとともに、前記開口穴に挿入された前記第１の基片、及び前記壁の室外側に表出された第２の基片に沿って案内されることを特徴とする請求項１に記載の空気調和機。
【請求項３】
前記形状矯正具が前記壁に固定されることを特徴とする請求項１又は２に記載の空気調和機。
【請求項４】
前記第２の基片に貫通孔を設け、この貫通孔に挿通したネジで前記第２の基片が前記壁の室外側に固定されることを特徴とする請求項２に記載の空気調和機。
【請求項５】
前記第２の基片に突起を設け、この突起が前記壁の室外側に打設されて前記第２の基片が固定されることを特徴とする請求項２に記載の空気調和機。
【請求項６】
前記排出ホースは、前記本体の内部に設けた換気装置に接続の換気ホースと一体化されていて、室内から換気装置に取り入れた空気を室外へ排出することを特徴とする請求項１から５のいずれかに記載の空気調和機。
【請求項７】
内部に水又は空気が流通するホースを略直角に矯正するホース形状矯正具であって、互いに略直角に折曲された第１、第２の基片と、各第１、第２の基片の各両側から各々対になって突出する第１、第２の突片と、を備えてなり、前記ホースが前記第１、第２の突片で挟持されるとともに、前記第１、第２の基片に沿って案内されることを特徴とするホース形状矯正具。
【請求項８】
前記ホース形状矯正具は壁面又は床面に固定されてなることを特徴とする請求項７に記載のホース形状矯正具。
【発明の詳細な説明】
【０００１】
【発明の属する技術分野】
本発明は、壁に形成された開口穴に挿通されて本体の内部から室外へ凝縮水等の水又は空気を排出する排出ホースを備えた空気調和機、及び、内部に水又は空気が流通するホースを矯正するホース形状矯正具に関する。
【０００２】
【従来の技術】
従来一般の空気調和機は、図７に示すように、当該空気調和機本体１が室内の壁１０に取り付けられる。この本体１の内部には、概略、熱交換器２と、本体１の上部に形成された吸込口１ａから熱交換器２を介して室内の空気を吸引するとともに、吸引した空気を再び本体１の正面下部に形成された吐出口１ｂから室内に送り出す送風ファン３と、この送風ファン３から送り出される空気を吐出口１ｂに向けて案内する送風ガイド４と、が配設されている。
【０００３】
また、このような空気調和機はその機能上、冷房や除湿運転をすると、熱交換器２において凝縮水が発生する。そのため、本体１には、熱交換器２の下方に、凝縮水を受ける受皿５が配設されており、この受皿５には、壁１０に形成された開口穴１１に挿通された排出ホース６が接続されている。このようにして、本体１の内部の熱交換器２で発生した凝縮水は、受皿５に流れ込み、排出ホース６を経て室外に排出される（例えば、特許文献１参照）。
【０００４】
【特許文献１】
特開平３−２８６９３０号公報
【０００５】
【発明が解決しようとする課題】
ところで、排出ホース６は、一般的に樹脂で成形されてなることから自由に屈曲が可能であり、そのため、空気調和機の据付け工事の際、特に壁１０の開口穴１１における室外側の縁部近傍（図７中の符号Ａで示す部分）で、一旦上方に向く様相で大きく湾曲し易くなる。しかし、据付け後にもこのように排出ホース６が大きく湾曲したままでは、この湾曲部分に予定しないトラップ状態が形成されて運転時に凝縮水が溜まり排水不良となるため、本体１内への凝縮水の溢水を引き起こしたり、溜まった凝縮水中に微生物が発生して悪臭を引き起こしたりする。従って、空気調和機の据付け工事に際しては、排出ホース６に関して、予定しない箇所でトラップ状態が形成されないよう十分な配慮のもと、慎重な作業が強いられる。
【０００６】
そこで、本発明は、上記の問題に鑑みてなされたものであり、簡単且つ確実に適正な形状に矯正された排出ホースを備えた空気調和機を提供することをその目的とするものである。また本発明の目的は、特に空気調和機において、その据付けの際、簡単且つ確実に排出ホースを適正な形状に矯正することができるホース形状矯正具を提供することにある。
【０００７】
【課題を解決するための手段】
上記目的を達成するため、本発明による空気調和機は、本体が室内に取り付けられ、壁に形成された開口穴に挿通されて前記本体の内部から室外へ水又は空気を排出する排出ホースを備えた空気調和機であって、前記排出ホースは、形状矯正具で保持されながら案内されて、前記開口穴における室外側の縁部近傍で略直角に折り曲げられることを特徴とする。これにより、単に形状矯正具を取り付けるだけで、壁の開口穴における室外側の縁部近傍において、排出ホースは、予定しないトラップ状態が形成されることなく、確実に適正な形状に矯正される。
【０００８】
また、上記目的を達成するための本発明によるホース形状矯正具は、内部に水又は空気が流通するホースを略直角に矯正するホース形状矯正具であって、互いに略直角に折曲された第１、第２の基片と、各第１、第２の基片の各両側から各々対になって突出する第１、第２の突片と、を備えてなり、前記ホースが前記第１、第２の突片で挟持されるとともに、前記第１、第２の基片に沿って案内されることを特徴とする。これにより、特に空気調和機において、その据付けの際、単に形状矯正具を取り付けるだけで、排出ホースに予定しないトラップ状態が形成されることはなく、排出ホースを確実に適正な形状に矯正できる。
【０００９】
【発明の実施の形態】
以下に、本発明の実施形態について図面を参照しながら詳述する。先ず、本発明の第１実施形態について説明する。図１は本発明の空気調和機の据付け状態を示す側方視の断面図、図２はその空気調和機における第１実施形態である排出ホースの形状矯正具の外観を示す斜視図、図３は図２のＸ矢視図、図４は図２のＹ矢視図、図５は第１実施形態の形状矯正具の取付け手順を示す空気調和機の要部断面図である。なお、図中で図７と同じ名称で同じ機能を果たす部分には同一の符号を付し、重複する説明は省略する。
【００１０】
本発明の空気調和機では、図１に示すように、排出ホース６は、詳細は後述する形状矯正具２０で保持されながら案内されて、壁１０の開口穴１１における室外側の縁部近傍（図１中の符号Ａで示す部分参照）で略直角の下向きに折り曲げられている。つまり、排出ホース６は、その壁１０の開口穴１１における室外側の縁部近傍において、形状矯正具２０により、予定しないトラップ状態が形成されることなく、確実に適正な形状に矯正される。その結果、空気調和機の運転時に、凝縮水が排出ホース６内に不用意に溜まることはなく、室外へ円滑に排出される。
【００１１】
続いて、本実施形態の形状矯正具２０の態様について、図２〜図５を参照しながら詳述する。図２〜図４に示すように、形状矯正具２０は、金属板から板金成形されてなるものであって、互いに略直角に折曲された第１の基片２１及び第２の基片２２と、各第１の基片及び第２の基片における各先端部の各両側から各々対になって突出する第１の突片２３及び第２の突片２４と、よりなる。
【００１２】
ここで、第１の基片２１及び第２の基片２２は、壁１０の開口穴１１に挿入された第１の基片２１と、壁１０の室外側に表出された第２の基片２２との各外面に沿って、排出ホース６を案内して略直角に折り曲げ、矯正する役割を果たすものである。一方、第１の突片２３及び第２の突片２４は、排出ホース６を抱き込むように挟持して、保持する役割を果たすものである。特に、第１の突片２３及び第２の突片２４各々の全体の横断面形状は、排出ホース６を安定的に保持すべくＣ字状になっていて（図２及び図４参照）、これらの各開放端の隙間から排出ホース６が押し込まれて挟持されるようになっている。
【００１３】
また、第２の基片２２には、これを壁１０の室外側に固定するためのネジ２５（図５参照）を挿通させる貫通孔２６が複数個穿設されている。本実施形態では、貫通孔２６は２個設けられている（図２及び図４参照）。
【００１４】
引き続き、空気調和機の据付け時における本実施形態の形状矯正具２０の取付け手順について、図５を参照しながら説明する。先ず、空気調和機本体１を壁１０の室内側に取り付け、図５（ａ）に示すように、壁１０の開口穴１１に排出ホース６を室内側から室外側に挿通させる。
【００１５】
次いで、図５（ｂ）に示すように、壁１０の室外側外方において、第１の基片２１の先端を開口穴１１に向けつつ、第２の基片２２を下向きにして形状矯正具２０を一旦配置し（図５（ｂ）中、点線で図示）、排出ホース６を第１の突片２３の各開放端の隙間から押し込んで第１の突片２３に嵌め込む。続いて、排出ホース６に対して第１の突片２３を摺動させながら形状矯正具２０をスライド（図５（ｂ）中の白抜き矢印参照）させ、第２の基片２２の内面が壁１０の室外側に当接するまで、第１の基片２１を開口穴１１内に挿入する（図５（ｂ）中、実線で図示）。その後、第２の基片２２の各貫通孔６にネジ２５を挿通させ、形状矯正具２０を壁１０に締結固定する。
【００１６】
そして、図５（ｃ）に示すように、排出ホース６を第１の基片２１及び第２の基片２２各々の外面に沿って折り曲げ（図５（ｃ）中の白抜き矢印参照）、そのまま第２の突片２４の各開放端の隙間から押し込んで第２の突片２４に嵌め込んで、完了する。これにより、単に形状矯正具２０を取り付けるだけで、壁１０の開口穴１１における室外側の縁部近傍において、排出ホース６は、略直角の下向きに折り曲げられ、適正な形状に矯正されることになる。
【００１７】
なお、本実施形態では、排出ホース６が熱交換器２からの凝縮水の排出機能のみを有するように構成されているが、この排出ホース６に、室内の換気ための排気機能を持つように構成しても構わない。この場合、空気調和機本体１の内部に換気装置を設けて、この換気装置に換気ホースを接続し、この換気ホースを排出ホース６と一体化させることで足りる。これにより、排出ホース６を通じて、室内から換気装置に取り入れた空気を室外へ排出することも可能になる。このような排気機能を有する排出ホース６に対しても、形状矯正具２０によって適正な形状に矯正することは有用である。何故ならば、予定しないトラップ状態が形成されると、空気の流路が十分確保されなくなり、異常音の発生要因となるからである。
【００１８】
次に、本発明の第２実施形態について、図６を参照しながら説明する。図６は本発明の空気調和機における第２実施形態である排出ホースの形状矯正具の外観を示す斜視図である。なお、図中で図１〜図５と同じ名称で同じ機能を果たす部分には同一の符号を付し、重複する説明は省略する。
【００１９】
本第２実施形態の特徴は、第１実施形態における形状矯正具２０を変形して、壁１０に対する形状矯正具２０の固定手法の簡素化を図った点にある。つまり、図６に示すように、形状矯正具２０を構成する第２の基片２２において、第１実施形態における貫通孔２６に代えて、その内面に、鋭利な先端を有する突起２７が複数個突設されている。本実施形態では、突起２７は３個設けられている。
【００２０】
これにより、形状矯正具２０を壁１０に固定する際、第２の基片２２の外面からハンマ等で叩くことによって、各突起２７が壁１０の室外側に打ち込まれて打設され、その結果、矯正具２０が壁１０に固定される。従って、第１実施形態のようなネジ２５による締結と比べて、簡単に形状矯正具２０の固定が行える。
【００２１】
その他本発明は上記の各実施形態に限定されず、本発明の趣旨を逸脱しない範囲で、種々の変更が可能である。例えば、壁１０に対する形状矯正具２０の固定手法としては、ネジ２５による締結（第１実施形態）や突起２７による打設（第２実施形態）以外に、接着剤等による固定でも構わない。但し、このような形状矯正具２０の固定は、必ずしも必要というわけではなく、排出ホース６を適正な形状に矯正したまま維持できる限り、行わなくてもよい。
【００２２】
また、第１の突片２３及び第２の突片２４については、上記した各実施形態では、それぞれ第１の基片２１及び第２の基片２２における各先端部の各両側から突出しているが、各両側から突出する限り、各基片２１及び第２の基片２２における例えば中程から突出するように形成されても構わないし、その形成個数に限定はない。尚、本実施形態では、形状矯正具２０は金属板から板金成形されてなるものと説明したが、同等の剛性が得られる材料であれば、例えばプラスチック樹脂等で成形されていても構わない。
【００２３】
また、上記した各実施形態では、形状矯正具２０が矯正する対象は、空気調和機の排出ホース６であるが、内部に水又は空気が流通するホースである限り、例えば、洗濯機や食器洗浄機等の給排水ホースであっても構わない。予定しないトラップ状態が形成されないため、給排水不良や水の腐敗等を防止できる点で有効だからである。この場合、ホース形状を安定的に維持させる観点から、形状矯正具２０が壁面や床面等、或いは機器そのものといった強固な場所に固定されることが望ましい。
【００２４】
【発明の効果】
以上説明した通り、本発明によれば、本体が室内に取り付けられ、壁に形成された開口穴に挿通されて前記本体の内部から室外へ水又は空気を排出する排出ホースを備えた空気調和機であって、前記排出ホースは、形状矯正具で保持されながら案内されて、前記開口穴における室外側の縁部近傍で略直角に折り曲げられることを特徴とするので、単に形状矯正具を取り付けるだけで、壁の開口穴における室外側の縁部近傍において、排出ホースは、予定しないトラップ状態が形成されることなく、確実に適正な形状に矯正される。従って、空気調和機の運転時に、凝縮水が排出ホース内に不用意に溜まることはなく、室外へ円滑に排出される。
【００２５】
また、本発明によれば、内部に水又は空気が流通するホースを略直角に矯正するホース形状矯正具であって、互いに略直角に折曲された第１、第２の基片と、各第１、第２の基片の各両側から各々対になって突出する第１、第２の突片と、を備えてなり、前記ホースが前記第１、第２の突片で挟持されるとともに、前記第１、第２の基片に沿って案内されることを特徴とするので、特に空気調和機において、その据付けの際、単に形状矯正具を取り付けるだけで、排出ホースに予定しないトラップ状態が形成されることはなく、排出ホースを確実に適正な形状に矯正できる。
【図面の簡単な説明】
【図１】本発明の空気調和機の据付け状態を示す側方視の断面図である。
【図２】本発明の空気調和機における第１実施形態の形状矯正具の外観を示す斜視図である。
【図３】図２のＸ矢視図である。
【図４】図２のＹ矢視図である。
【図５】第１実施形態の形状矯正具の取付け手順を示す空気調和機の要部断面図である。
【図６】本発明の空気調和機における第２実施形態の形状矯正具の外観を示す斜視図である。
【図７】従来の空気調和機の据付け状態を示す側方視の断面図である。
【符号の説明】
１    空気調和機本体
２    熱交換器
３    送風ファン
４    送風ガイド
５    受皿
６    排出ホース
１０    壁
１１    開口穴
２０    形状矯正具
２１    第１の基片
２２    第２の基片
２３    第１の突片
２４    第２の突片
２６    貫通孔
２７    突起
【図１】
2005036996.tif 000003
【図２】
2005036996.tif 000004
【図３】
2005036996.tif 000005
【図４】
2005036996.tif 000006
【図５】
2005036996.tif 000007
【図６】
2005036996.tif 000008
【図７】
2005036996.tif 000009